(57)【要約】【課題】自動運転が行われる透析液供給装置及び透析用監視装置において、消費電力を低減することができるとともに、透析治療の合間にも電力供給され続けることによる種々不具合を解消することができる透析治療用セントラルシステム及びその制御方法を提供する。【解決手段】所定濃度の透析液を調製し得る透析液供給装置１と、該透析液供給装置１から送られた透析液をダイアライザに供給する複数の透析用監視装置２と、透析液供給装置１に配設され、自動運転時に行われる各種工程の動作タイミングを指示すべく当該透析用監視装置２に工程信号を送信する信号送信手段４とを備えた透析治療用セントラルシステムにおいて、複数の透析用監視装置２のそれぞれが独立して電力供給されるとともに、信号送信手段４から送られる工程信号により当該電力供給を停止又は復帰させるよう構成されたものである。【選択図】　図１
2004016412.tif 000002
【特許請求の範囲】
【請求項１】
所定濃度の透析液を調製し、該透析液を送液する透析液供給装置と、
該透析液供給装置から離間した位置に、患者に透析治療を施すための血液浄化器の数に対応して複数設置され、前記透析液供給装置から送られた透析液を夫々血液浄化器に供給するとともに、透析治療時の種々データを収集する複数の透析用監視装置と、
前記透析液供給装置に配設され、当該透析液供給装置及び前記透析用監視装置が自動運転時に行われる各種工程の動作タイミングを指示すべく当該透析用監視装置に工程信号を送信する信号送信手段と、
を備えた透析治療用セントラルシステムにおいて、
前記複数の透析用監視装置のそれぞれが独立して電力供給されるとともに、前記信号送信手段から送られる工程信号により当該電力供給を停止又は復帰させることを特徴とする透析治療用セントラルシステム。
【請求項２】
前記透析用監視装置で収集したデータに基づき、透析治療が継続中であると認識された場合に、前記信号送信手段から送信された電力供給を停止すべき工程信号を無視し得ることを特徴とする請求項１記載の透析治療用セントラルシステム。
【請求項３】
所定濃度の透析液を調製し、該透析液を送液する透析液供給装置と、
該透析液供給装置から離間した位置に、患者に透析治療を施すための血液浄化器の数に対応して複数設置され、前記透析液供給装置から送られた透析液を夫々血液浄化器に供給するとともに、透析治療時の種々データを収集する複数の透析用監視装置と、
を具備した透析治療用セントラルシステムの制御方法であって、
前記透析液供給装置及び透析用監視装置が自動運転時に行われる各種工程の動作タイミングを工程信号によって指示するとともに、各々独立して電力供給されている前記透析用監視装置に対し、前記工程信号により当該電力供給を停止又は復帰させることを特徴とする透析治療用セントラルシステムの制御方法。
【請求項４】
前記透析用監視装置で収集したデータに基づき、透析治療が継続中であると認識された場合に、電力供給を停止すべき工程信号を無視することを特徴とする請求項３記載の透析治療用セントラルシステムの制御方法。
【発明の詳細な説明】
【０００１】
【発明の属する技術分野】
本発明は、所定濃度の透析液を調製する透析液供給装置と、該透析液供給装置から送液された透析液を血液浄化器に供給する複数の透析用監視装置とを備え、これら透析液供給装置と透析用監視装置とが別々の場所に離間して設置された透析治療用セントラルシステム及びその制御方法に関する。
【０００２】
【従来の技術】
一般に、透析治療用セントラルシステムは、病院等医療現場における機械室に透析液供給装置を設置しておき、これとは別の場所である透析室（治療室）に透析用監視装置を設置するとともに、これら透析液供給装置と透析用監視装置とを配管で連結させて構成されている。透析液供給装置は、所定濃度の透析液を調製するものである一方、透析用監視装置は、患者に透析治療を施すための血液浄化器（ダイアライザ）の数に対応して複数設置され、透析液供給装置で調製された透析液を配管を介して導入し、血液回路に接続された血液浄化器に供給する。
【０００３】
即ち、機械室に設置された一つの透析液供給装置から透析室に設置された複数の透析用監視装置に分配して透析液を送液し、それぞれにおいてダイアライザに透析液を供給するよう構成されているのである。このように中央で調製された透析液を各透析用監視装置に分配するシステムのことをセントラルシステムといい、これに対し、血液浄化器毎（即ち透析治療患者の各々）に透析液の調製及び供給を行い得るものを個人用の透析装置という。
【０００４】
上記の如きセントラルシステムにおいては、透析用監視装置のそれぞれが独立して電力供給されるよう構成されており、例えば各透析用監視装置から延設された電気コードの先端にプラグを有し、ＡＣ電源から電力供給するようになっているのが一般的である。これは、透析液供給装置側に大型の配電手段を設け、電気配線によって各透析用監視装置に電力供給する構成のセントラルシステムに比べ、電力供給源の小型化及び電気配線の簡素化等において優れているからである。
【０００５】
また、従来の透析用監視装置においては、透析治療時の種々データ（例えば透析液の温度や圧力、血液中の気泡の有無、患者の静脈圧等）が収集されるよう構成されており、かかるデータに基づき透析条件が設定され得るようになっているとともに、所定データを透析液供給装置に送信し得るよう構成されている。具体的には、かかる所定データを電気信号（工程信号）として透析液供給装置に送信するため、当該透析液供給装置と夫々透析用監視装置との間に電気配線が施されているのである。
【０００６】
更に、この電気配線は、透析液供給装置及び透析用監視装置が自動運転時に行われる各種工程の動作タイミングを電気信号として当該透析液供給装置から夫々の透析用監視装置に送信するための信号送信手段に電気的に接続されている。かかる各種工程とは、例えば透析治療終了後における洗浄工程（酢酸水による洗浄及び清浄水のみによる洗浄等）、消毒工程（熱湯による消毒及び薬剤による消毒等）や、透析治療開始前における洗浄工程及び液置換工程等が挙げられる。
【０００７】
透析液供給装置及び透析用監視装置の自動運転時には、上記工程が予め設定された所定の動作タイミングで順次行われるよう信号送信手段から各透析用監視装置に電気信号が送信されるようになっている。具体的には、信号送信手段には、タイマが内蔵されており、透析治療工程が終了した後所定時間（例えば３０分間）洗浄工程を行わせるための電気信号が各透析用監視装置に送られ、その後、消毒工程３０分間、洗浄時間３０分間と順次所定工程の指示が信号の送信により行われる。
【０００８】
【発明が解決しようとする課題】
しかしながら、上記従来の透析治療用セントラルシステムにおいては、複数の透析用監視装置のそれぞれが独立して電力供給されているので、以下のような問題があった。例えば、医療現場において当日の透析治療が終了し、翌日の透析治療を開始するまでの間における透析治療が行われない時間帯においても、透析用監視装置に電力が供給され続けることとなってしまい、システムの消費電力が増大してしまうという問題があった。
【０００９】
即ち、自動運転においては、当日の透析治療が終了した後、翌日の透析治療が開始されるまでの間、各透析用監視装置に電力が供給されていないと、当該翌日の透析治療の開始時に工程信号を受信することができないので、電力供給は継続して行われる必要がある。しかして、この間の電力供給は、専ら工程信号の受け待ちのためのみに行われており、消費電力がその分増大してしまうのである。
【００１０】
また、電力供給された状態の各透析用監視装置には、電源回路の他、内蔵された各機器の制御を行うＣＰＵ等に電流が流れる状態となってしまうので、これら構成要素の消耗が激しく、寿命が短くなってしまうという虞もあった。更に、透析治療が行われていない時間にも電力供給されることにより、ＣＰＵ等を冷却するためのファンを駆動させておかなければならず、その駆動による騒音等の問題が生じてしまうという不具合もあった。
【００１１】
本発明は、このような事情に鑑みてなされたもので、自動運転が行われる透析液供給装置及び透析用監視装置において、消費電力を低減することができるとともに、透析治療の合間にも電力供給され続けることによる種々不具合を解消することができる透析治療用セントラルシステム及びその制御方法を提供することにある。
【００１２】
【課題を解決するための手段】
請求項１記載の発明は、所定濃度の透析液を調製し、該透析液を送液する透析液供給装置と、該透析液供給装置から離間した位置に、患者に透析治療を施すための血液浄化器の数に対応して複数設置され、前記透析液供給装置から送られた透析液を夫々血液浄化器に供給するとともに、透析治療時の種々データを収集する複数の透析用監視装置と、前記透析液供給装置に配設され、当該透析液供給装置及び前記透析用監視装置が自動運転時に行われる各種工程の動作タイミングを指示すべく当該透析用監視装置に工程信号を送信する信号送信手段とを備えた透析治療用セントラルシステムにおいて、前記複数の透析用監視装置のそれぞれが独立して電力供給されるとともに、前記信号送信手段から送られる工程信号により当該電力供給を停止又は復帰させることを特徴とする。
【００１３】
請求項２記載の発明は、請求項１記載の透析治療用セントラルシステムにおいて、前記透析用監視装置で収集したデータに基づき、透析治療が継続中であると認識された場合に、前記信号送信手段から送信された電力供給を停止すべき工程信号を無視し得ることを特徴とする。
【００１４】
請求項３記載の発明は、所定濃度の透析液を調製し、該透析液を送液する透析液供給装置と、該透析液供給装置から離間した位置に、患者に透析治療を施すための血液浄化器の数に対応して複数設置され、前記透析液供給装置から送られた透析液を夫々血液浄化器に供給するとともに、透析治療時の種々データを収集する複数の透析用監視装置とを具備した透析治療用セントラルシステムの制御方法であって、前記透析液供給装置及び透析用監視装置が自動運転時に行われる各種工程の動作タイミングを工程信号によって指示するとともに、各々独立して電力供給されている前記透析用監視装置に対し、前記工程信号により当該電力供給を停止又は復帰させることを特徴とする。
【００１５】
請求項４記載の発明は、請求項３記載の透析治療用セントラルシステムの制御方法において、前記透析用監視装置で収集したデータに基づき、透析治療が継続中であると認識された場合に、電力供給を停止すべき工程信号を無視することを特徴とする。
【００１６】
【発明の実施の形態】
以下、本発明の実施形態について図面を参照しながら具体的に説明する。
本実施形態に係る透析治療用セントラルシステムは、図１に示すように、病院等医療現場における機械室に設置された透析液供給装置１と、透析室に設置された複数の透析用監視装置２と、透析液供給装置とそれぞれの透析用監視装置２とを連結した配管３と、透析液供給装置１内に配設された信号送信手段４と、透析室に設置され、信号送信手段４と配線５によって電気的に接続されるとともに各透析用監視装置２とも電気的に接続された分岐箱６とから主に構成されている。
【００１７】
透析液供給装置１は、所定濃度の透析液を調製し、該透析液を透析用監視装置２に送液するためのもので、図２に示すように、給水源７から配管３まで延設された主ラインＬ１に加温器１１、ミキシングチャンバ１２、１３、脱気ユニット１４、貯槽１５、送液ポンプ１８がそれぞれ接続されているとともに、枝ラインＬ２、Ｌ３及びＬ４を介して消毒液用タンク１０、Ｂ原液用タンク８及びＡ原液用タンク９がそれぞれ接続されて構成されている。尚、枝ラインＬ２、Ｌ３及びＬ４には、それぞれ薬注ポンプＰ、Ｂ原液注入ポンプ１６及びＡ原液注入ポンプ１７が接続されるとともに、逆止弁Ｃ１〜Ｃ３及び電磁バルブＶ１〜Ｖ３が接続されている。尚、透析液供給装置１で調製されるべき透析液の所定濃度とは、患者の治療に最も有効な濃度をいい、予め設定されている。
【００１８】
透析治療時においては、電磁バルブＶ１を閉じるとともに電磁バルブＶ２及びＶ３を開放しておき、その状態で給水源７から清浄水（ＲＯ水）を主ラインＬ１に供給するとともに、Ｂ原液注入ポンプ１６及びＡ原液注入ポンプ１７を駆動させる。これにより、加温器１１で加温された清浄水は、ミキシングチャンバ１２にてＢ原液が混入された後、ミキシングチャンバ１３にてＡ原液が混入されて透析液が調製される。
【００１９】
その後、透析液は、混入された空気が脱気ユニット１４にて取り除かれ、貯槽１５に至る。かかる貯槽１５では所定量の透析液が貯留され、送液ポンプ１８により配管３に透析液を送液する。配管３に送液された所定濃度の透析液は、透析室の各透析用監視装置２に供給されることとなる。
【００２０】
更に、透析液供給装置１には、当該透析液供給装置１及び透析用監視装置２が自動運転時に行われる各種工程の動作タイミングを指示すべく透析用監視装置２の制御回路２５（図３及び図４参照。詳細は後述する。）に工程信号を送信する信号送信手段４が配設されている。ここで、自動運転は、図５に示すように、透析治療（例えば当日の治療）が終了し、次の透析治療（例えば翌日の治療）が開始されるまでの間に行われ、洗浄工程、消毒工程、液置換工程などがある。
【００２１】
信号送信手段４からの工程信号は、配線５を介して分岐箱６に至り、そこから各透析用監視装置２へ同時に送信されるよう構成されている。上記の如く、信号送信手段４は、上記工程の動作タイミングを指示するため透析用監視装置２に所定の工程信号を送信するものであるが、これに加えて本実施形態における信号送信手段４は、透析用監視装置２のプリセット（待機状態）において当該透析用監視装置２の電力供給を停止又は復帰させるべき指示を与える工程信号も送信するよう構成されている。
【００２２】
然るに、プリセットの間は、透析用監視装置２への電力供給が停止され、次の透析治療が始まる直前のタイミングで電力供給が復帰されるのである。従って、かかるプリセットの間の電力供給は行われず、その分、消費電力を低減することができる。また、従来の如きプリセットの間においても電力供給が行われるものに比べ、透析用監視装置２が発生する騒音等が回避でき、透析室の環境を改善することができる。
【００２３】
透析用監視装置２は、透析液供給装置１から離間した位置（即ち、機械室から離間した位置の透析室）に、患者に透析治療を施すためのダイアライザ（血液浄化器）の数に対応して複数設置されたもので、透析液供給装置１から送られた透析液を夫々血液回路に接続されたダイアライザに供給するとともに、透析治療時の種々データを収集するものである。
【００２４】
かかる透析室に設置された複数の透析用監視装置２の各々は、図３に示すように、配管３に接続された導入ラインＬ５と、図示しない廃液手段に接続された排出ラインＬ６とを有し、これらラインに跨って複式ポンプ２１が配設されて構成されている。また、導入ラインＬ５及び排出ラインＬ６のそれぞれの先端は、血液回路２４に接続されたダイアライザ２３における透析液導入ポート２３ａ、透析液排出ポート２３ｂに接続されている。
【００２５】
複式ポンプ２１のポンプ室は、図示しない単一のプランジャにより、導入ラインＬ５に接続された送液側ポンプ室２１ａと排出ラインＬ６に接続された排出側ポンプ室２１ｂとに画成されており、当該プランジャが往復動することにより、送液側ポンプ室２１ａに送られた透析液をダイアライザ２３に供給するとともに、ダイアライザ２３内の透析液を排出側ポンプ室２１ｂに吸入するよう構成されている。
【００２６】
更に、導入ラインＬ５には、加温器１９が接続されており、ダイアライザ２３に供給される透析液を再度加温（透析液供給装置１における加温器１１である程度は加温されている）し得るようになっている。また、排出ラインＬ６には、複式ポンプ２１をバイパスしたバイパスラインＬ７が形成されており、該バイパスラインＬ７に除水のための除水ポンプ２２が接続されている。尚、同図中符号２０は、導入ラインＬ５に接続された脱気手段を示している。
【００２７】
また更に、上記透析用監視装置２には、ダイアライザ２３に供給する前の透析液の濃度を検出する濃度センサ、ダイアライザ２３から排出された透析液中に血液が混入しているか否かを検出するための漏血検出器が配設されており、当該透析液監視装置２内の種々データを収集し得るよう構成されており、加えて、血液回路２４に配設された静脈圧検出器（いずれも不図示）等からの透析治療時の種々データを収集し得るよう構成されている。
【００２８】
また、透析用監視装置２の筐体には、図示しないバイパスコネクタの載置台が形成されており、透析治療が行われていないときは当該バイパスコネクタを一時的に載置可能とされている。バイパスコネクタは、透析治療が行われていないときにダイアライザ２３の代わりに血液浄化器接続用カプラＣ（図３参照）と接続されるもので、かかる載置台には、血液浄化器接続用カプラＣを接続した状態のバイパスコネクタが載置されているか否かを検出するセンサが配設されており、該センサによる検出信号は、配線５を介して透析液供給装置１側に送信され得るよう構成されている。
【００２９】
ここで、透析室に配置された複数の透析用監視装置２のそれぞれは、各々が独立して電力供給されるよう構成されており、ＡＣ電源２７からパワーユニット２６を介して各構成要素（電力を必要とするもの）に電力供給される。このパワーユニット２６は、図４に示すような回路（実際の回路をリレー回路に置き換えた等価回路）で構成されている。
【００３０】
同図において、パワーユニット２６は、制御回路２５と電気的に接続されており、該制御回路２５が透析液供給装置１から送られる工程信号により、パワーユニット２６を介する電力供給を停止又は復帰させ得るよう構成されている。即ち、信号送信手段４からの復帰信号（電力供給の開始信号）Ｓ１が制御回路２５に入力すると、リレーＫ６が動作してスイッチＫ６が閉じるので、バッテリＢＴからの電流によってリレーＫ３が動作する。これによりスイッチＫ３が閉じて動作が保持されることとなる。
【００３１】
同時に、リレーＫ２も動作するので、スイッチＫ２が閉じ、ＡＣ電源２７によって電源リレーＫ１が動作する。これにより、２つのスイッチＫ１−１及びＫ１−２が閉じてＡＣ電源２７からの電流が流れ、ＡＣ／ＤＣ２８のＤＣ２４Ｖ出力によって更にリレーＫ２及びＫ３の動作が保持される。このときリレーＫ５が動作するので、バッテリＢＴからのリレーＫ２及びＫ３への電流は流れなくなっている。
【００３２】
一方、信号送信手段４からの停止信号（電力供給の停止信号）Ｓ２が制御回路２５に入力すると、リレーＫ７が動作し、スイッチＫ７が閉じるので、リレーＫ４が動作してスイッチＫ４−１及びＫ４−２が開くこととなり、リレーＫ２及びＫ３の自己保持が解除される。リレーＫ２の動作が停止するとスイッチＫ２が開くので、ＡＣ電源２７からの電力供給が停止されることとなる。
【００３３】
次に、上記透析治療用セントラルシステムの作用（制御方法）について図５に基づいて説明する。
透析治療が終了すると、自動運転を開始すべく信号送信手段４から洗浄を開始するための工程信号Ｓ３が送信される。これを受信した透析用監視装置２では、工程信号Ｓ３に従い洗浄が行われる。かかる洗浄においては、図２において、電磁バルブＶ１〜Ｖ３が閉じられるとともに、給水手段７からの清浄水の供給を行うことにより行われる。即ち、清浄水を透析液供給装置１及び透析用監視装置２内の各ラインに流すことにより、当該ラインを洗浄するのである。
【００３４】
そして、所定時間経過の後、消毒を開始するための工程信号Ｓ４が信号送信手段４から送信される。これを受信した透析用監視装置２では、工程信号Ｓ４に従い消毒が行われる。かかる消毒は、図２において、電磁バルブＶ２及びＶ３が閉じられた状態を維持しつつ電磁バルブＶ１を開け、薬注ポンプＰを駆動させることにより行われる。これにより、消毒液用タンク１０から主ラインＬ１に消毒液が供給されて各ラインに流れ、薬剤による消毒を行うことができるのである。尚、かかる薬剤による消毒に代えて、熱湯による消毒とすることもできる。
【００３５】
更に所定時間経過の後、消毒による薬剤を洗い流すべく、上記と同様の洗浄を開始するための工程信号Ｓ５が信号送信手段４から送信される。その後、洗浄のための所定時間が経過すると、次の透析治療を待機する状態（即ちプリセット状態）となるのであるが、かかる指示も信号送信手段４から送信される工程信号Ｓ２により行われる。この工程信号Ｓ２を制御回路２５（図４参照）が受信すると、既述の如くＡＣ電源２７からの透析用監視装置２に対する電力供給が停止される。
【００３６】
かかるプリセット終了直前において、信号送信手段４から工程信号Ｓ１が送信され、かかる信号Ｓ１を制御回路２５が受信すると、既述の如くＡＣ電源２７からの透析用監視装置２に対する電力供給が復帰される。その後、透析治療を始めるまでに、洗浄を行うべき工程信号Ｓ６、及び液置換を行うべき工程信号Ｓ７が信号送信手段４から送信され、それら信号に従って各工程が行われる。液置換が終了すると、自動運転を終了するための工程信号Ｓ８が透析用監視装置２に送信され、次の透析治療が行われることとなる。
【００３７】
以上、本実施形態について説明したが、本発明はこれに限定されず、例えば透析用監視装置２で収集したデータに基づき、透析治療が継続中であると認識された場合に、信号送信手段４から送信された電力供給を停止すべき工程信号Ｓ２を無視し得るよう構成してもよい。即ち、信号送信手段４の誤作動等により、透析治療が継続中であるにもかかわらず、電力供給を停止すべき工程信号Ｓ２が送信された場合、かかる工程信号Ｓ２を透析用監視装置２側で無効とするのである。
【００３８】
具体的には、透析用監視装置２に配設され、バイパスコネクタの載置台（不図示）に、血液浄化器接続用カプラを接続した状態のバイパスコネクタ（不図示）が載置されているか否かを検出するセンサの検出値を透析液供給装置１に配線５を介して送信することにより、バイパスコネクタを検出していれば透析治療は行われていないと認識できるので、電力供給を停止すべき工程信号Ｓ２を有効とし、バイパスコネクタを検出していなければ透析治療は未だ行われていると認識できるので、当該工程信号Ｓ２を無効として無視するよう構成することができる。
【００３９】
このように透析治療中であることを認識している場合の工程信号Ｓ２を無視して、当該工程信号Ｓ２に基づく電力供給の停止を行わないように制御することにより、透析治療における安全性を向上させることができる。勿論、透析治療が終了しているか否かの認識方法は、上記の如き方法に限定されず、透析用監視装置２が収集する他のデータに基づいて行うようにしてもよい。
【００４０】
【発明の効果】
請求項１及び請求項３の発明によれば、送信される工程信号により、それぞれが独立して電力供給される複数の透析用監視装置における当該電力供給を停止又は復帰させるので、自動運転が行われる透析液供給装置及び透析用監視装置において、透析治療の合間における電力供給を停止させることができ、消費電力を低減することができるとともに、透析治療の合間にも電力供給され続けることによる種々不具合を解消することができる。
【００４１】
請求項２及び請求項４の発明によれば、透析用監視装置で収集したデータに基づき、透析治療が継続中であると認識された場合に、送信された電力供給を停止すべき工程信号を無視し得るので、透析治療における安全性を向上させることができる。
【図面の簡単な説明】
【図１】本発明の透析治療用セントラルシステムの概略を示す模式図
【図２】本発明の透析治療用セントラルシステムにおける透析液供給装置の概略を示す模式図
【図３】本発明の透析治療用セントラルシステムにおける透析用監視装置の概略を示す模式図
【図４】本発明の透析治療用セントラルシステムにおけるパワーユニット及び制御回路をリレー回路に置き換えた等価回路を示す回路図
【図５】本発明の透析治療用セントラルシステムにおける自動運転時に行われる各種工程の動作タイミングを示す工程図
【符号の説明】
１…透析液供給装置
２…透析用監視装置
３…配管
４…信号送信手段
５…配線
６…分岐箱
７…給水手段
８…Ｂ原液用タンク
９…Ａ原液用タンク
１０…消毒液用タンク
１１…加温器
１２、１３…ミキシングチャンバ
１４…脱気ユニット
１５…貯槽
１６…Ｂ原液注入ポンプ
１７…Ａ原液注入ポンプ
１８…送液ポンプ
１９…加温器
２０…脱気手段
２１…複式ポンプ
２２…除水ポンプ
２３…ダイアライザ（血液浄化器）
２４…血液回路
２５…制御回路
２６…パワーユニット
２７…ＡＣ電源
２８…ＡＣ／ＤＣ
２９…ＤＣ／ＤＣ
【図１】
2004016412.tif 000003
【図２】
2004016412.tif 000004
【図３】
2004016412.tif 000005
【図４】
2004016412.tif 000006
【図５】
2004016412.tif 000007